(57)【要約】【課題】  茎を袋内に収容して水やゴミを落とすことなく茎を抜き取ったり持ち運んだりできるものでありながら、茎を鮮度を落とすことなく長期間に亘って保管でき、保管時の取り扱いが簡単に行える茎の保存袋を提供する。【解決手段】  本発明の茎の保存袋１は、開口部５を備えた有底な袋状に形成されると共に開口部５を閉じることで内部に茎Ｓを密閉状態で収容可能とされており、開口部５と反対側の端部は開口部５側に比べて細く絞られた筒状に形成されており、細く絞られた筒状の部分を茎Ｓごと切断できる構成とされていることを特徴とするものである。【選択図】図１
2010215243.tif 000002
【特許請求の範囲】
【請求項１】
開口部を備えた有底な袋状に形成されると共に当該開口部を閉じることで内部に茎を収容可能とされており、
前記開口部と反対側の端部は開口部側に比べて細く絞られた筒状に形成されており、
前記細く絞られた筒状の部分を前記茎ごと切断できる構成とされていることを特徴とする茎の保存袋。
【請求項２】
エチレンガスを吸収可能な材料から形成されていることを特徴とする請求項１に記載の茎の保存袋。
【請求項３】
開口部を備えた有底な袋状である共に前記開口部と反対側の端部が開口部側に比べて細く絞られた筒状に形成された保存袋に対して、
前記細く絞られた筒状の部分に前記茎の先端を挿し込んで前記開口部を閉じ、
前記細く絞られた筒状の部分を前記茎ごと切断して水につけることで茎を保存することを特徴とする茎の保存方法。
【請求項４】
前記保存袋をエチレンガスを吸収可能な材料から形成しておき、
前記茎から発生するエチレンガスを前記保存袋で吸収しながら当該茎を保存することを特徴とする請求項３に記載の茎の保存方法。
【発明の詳細な説明】
【技術分野】
【０００１】
本発明は、例えばサツマイモなどの茎を鮮度が落ちないように保存する茎の保存袋及び保存方法に関するものである。
【背景技術】
【０００２】
一般的に、サツマイモなどの野菜やポトスなどの観葉植物は、例えば「芋づる」などの別名で呼ばれる茎（ほふく茎）で繁殖し、この茎を培養土などに植え付けることで栽培される。このような「芋づる」などの茎は、根が切断されているため茎を剥き出し状態のまま保管すると、短時間で鮮度が落ちて萎れてしまう。それゆえ、ガーデニングショップ、種苗店、またはホームセンターなどにおいては、これらの茎の先をちょうど花瓶に花を活けるように水が溜められた容器内に浸けておき、購入しようとする者が必要な数だけ水の中から抜いて購入するような形態で販売等されている。
【０００３】
しかし、水に活けられた茎を抜き取ったりレジまで運んだりする際には、茎から水やゴミが落ちて売り場を汚したり、購入者の衣服を汚したりす場合がある。そこで、水やゴミが落ちないように茎をビニール袋などに収容して販売することも考えられる。
例えば特許文献１には茎を収容するのに適した野菜袋が開示されている。特許文献１の野菜袋は、包装フィルムを袋状に形成したものであり、空気や水を入れたまま袋の口を結束すれば茎を密閉状態で収容できるようになっている。それゆえ、持ち運びや抜き取りのときに水やゴミが落ちる心配がなく、売り場や購入者の衣服を汚す心配もない。
【先行技術文献】
【特許文献】
【０００４】
【特許文献１】特開２００５−３７６５５７号公報
【発明の概要】
【発明が解決しようとする課題】
【０００５】
しかし、特許文献１の野菜袋のように袋本体を完全に密閉してしまうものでは、茎が呼吸するにつれて袋内部の空気や水が汚れていくため、茎を長期間に亘って保存することはできない。一定時間ごとに袋の口を開けて空気や水を取り替えることもできるが、販売店等では取り扱い数が多いので、このような面倒な作業は時間や手間がかかりすぎて現実的ではない。
また、茎の先（切断面）は長時間に亘って水につけていると腐りやすく、茎を長期間に亘って保管する場合には定期的に茎の先を切断して新たな切断面を出しておく必要がある。ところが、特許文献１の野菜袋のように茎が袋内に収容されていると、袋を開封して茎を取り出した後でなければ切断作業ができない。当然、この切断作業も、一つ一つの袋を開けたり閉じたりする作業を伴うものであり、空気や水の取り替え同様に面倒で時間がかかるものとなっていた。
【０００６】
本発明は、上述の問題に鑑みてなされたものであり、茎を袋内に収容して水やゴミを落とすことなく茎を抜き取ったり持ち運んだりできるものでありながら、茎を鮮度を落とすことなく長期間に亘って保管でき、保管時の取り扱いが簡単に行える茎の保存袋及び保存方法を提供することを目的とする。
【課題を解決するための手段】
【０００７】
前記目的を達成するため、本発明は次の技術的手段を講じている。
即ち、本発明の茎の保存袋は、開口部を備えた有底な袋状に形成されると共に当該開口部を閉じることで内部に茎を収容可能とされており、前記開口部と反対側の端部は開口部側に比べて細く絞られた筒状に形成されており、前記細く絞られた筒状の部分を前記茎ごと切断できる構成とされていることを特徴とするものである。
このように茎を保存袋の内部に収容しておけば、茎を抜き取ったり持ち運んだりする際には保存袋を逆さまにすれば水が垂れたりゴミが落ちたりする心配がなく、売り場や購入者の衣服を汚す心配がない。
【０００８】
また、茎が収容された袋本体の下部を茎ごと切断して水につければ、切断された部分から袋本体の内部に新鮮な水や空気が供給されるため、茎を鮮度を落とすことなく長期間に亘って茎を保管できる。
その上、茎の先端を定期的に切断する場合には、茎の先端ごと開口部と反対側の保存袋の端部を切断すれば、鮮度保持のために必要な茎の切断作業を効率的に行うこともでき、保管時の取り扱いが簡単に行える。
なお、保存袋はエチレンガスを吸収可能な材料から形成されているのが好ましい。茎は自身が発生するエチレンガスを取り込むことでその鮮度が劣化するが、このように袋本体をエチレンガスを吸収可能な材料で形成しておけば、茎に吸収されるエチレンガスの量を低減することができ、茎の鮮度を長期間に亘って維持することが可能となるからである。
【０００９】
一方、本発明の茎の保存方法は、開口部を備えた有底な袋状である共に前記開口部と反対側の端部が開口部側に比べて細く絞られた筒状に形成された保存袋に対して、前記細く絞られた筒状の部分に前記茎の先端を挿し込んで前記開口部を閉じ、前記細く絞られた筒状の部分を前記茎ごと切断して水につけることで茎を保存するものである。
このようにすれば、切断された部分から袋本体の内部に新鮮な水や空気が供給されるため、茎を鮮度を落とすことなく長期間に亘って茎を保管できる。また、茎の先端を定期的に切断する場合には、茎の先端ごと開口部と反対側の端部をさらに切断すれば良く、一つ一つの茎を袋内から取り出して切断する必要はない。それゆえ、鮮度保持のために必要な茎の切断作業を効率的に行うことができ、茎の保管が簡単且つ確実に行える。
【００１０】
このような茎の保存方法においては、前記袋本体をエチレンガスを吸収可能な材料から形成しておき、前記袋本体内に入れられた茎から発生するエチレンガスを吸収しながら当該茎を保存するのが好ましい。このようにすれば、茎のそばに置かれた他の植物から発生するエチレンガスを保存袋で遮断するだけでなく、茎自身が発生するエチレンガスの量を低減することもでき、茎の鮮度を長期間に亘って維持することが可能となるからである。
【発明の効果】
【００１１】
本発明の茎の保存袋及び保存方法によれば、茎を袋内に収容して水やゴミを落とすことなく茎を抜き取ったり持ち運んだりできるものでありながら、茎を鮮度を落とすことなく長期間に亘って保管でき、保管時の取り扱いも簡単に行うことができる。
【図面の簡単な説明】
【００１２】
【図１】本発明の保存袋の正面図である。
【図２】図１のＡ−Ａ線断面図である。
【図３】保存袋の実施形態を示す図である。
【図４】図３のＢ部分の拡大図である。
【発明を実施するための形態】
【００１３】
以下、本発明の茎Ｓの保存袋１の実施形態を、図面に基づき詳しく説明する。
図１に示されるように、本発明の保存袋１は、ガーデニングショップ、ホームセンター、または種苗店などの販売店で取り扱われる茎Ｓを収容して保存するものである。このような販売店で販売等される茎Ｓとしては、サツマイモのほふく茎（いわゆる芋がら）、ネギやアスパラガスなどの野菜類の地下茎、カトレア、イワダレソウなどの草木や、ドラセナ、モンステラ、マングローブ、ユッカ、パキラ、又はポトスなどの観葉植物であって、挿し木で繁殖可能な植物の茎が挙げられる。また、茎Ｓとしては、活け花やフラワーアレンジメントなどで用いられるバラやカスミソウなどの切り花を含めることもできる。なお、以下の実施形態ではサツマイモのほふく茎が収容された保存袋を例に挙げて、本発明の保存袋１を説明する。
【００１４】
図１は保存袋１を正面から見た図である。図１に示されるように、保存袋１は、互いに重ね合わされた２枚の合成樹脂のフィルム２に対して、これらのフィルム２同士を互いに接着することで有底の袋状に形成されたものである。本実施形態の保存袋１は、上下に長い帯状の合成樹脂のフィルム２を上下方向の中途側で折り返すと共に互いに重なり合う左側と右側の端部同士をそれぞれ接着することで有底な袋状に形成されている。
保存袋１の上端側には上方に向かって開口する開口部５が形成されており、この開口部５には折り返しで重なり合ったフィルム２同士を接着するシール部３が形成されており、またこのシール部３の上側には保存袋１を持ち運び易いように手を挿し込める程度の大きさの穴部４が重なり合ったフィルム２同士を連通するように穿孔されている。
【００１５】
保存袋１を構成するフィルム２は、ポリエチレン、ポリオレフィンなどのポリオレフィン系樹脂、ナイロンなどのポリアミド系樹脂、ＰＥＴ、ＰＢＴなどのポリエステル系樹脂、ポリビニルアルコール系樹脂またはこれらの樹脂の共重合体などで構成されている。フィルム２は、これらの中でも特に価格が安く且つ酸素バリヤ性が高い（密封性に優れる）ポリエチレン又はポリエチレンを含む共重合体から構成されるのが良い。
保存袋１を構成するフィルム２はエチレンガスを吸収する材料から形成されている。このエチレンガスを吸収する材料としては、例えば、活性炭、ゼオライト、過マンガン酸カリなどを主体としたエチレンガスの吸着剤をフィルム２中に分散配合したものが挙げられる。このようにフィルム２にエチレンガスを吸収可能な材料を分散配合しておけば、茎Ｓに吸収されるエチレンガスの量を低減することができ、茎Ｓの鮮度を長期間に亘って維持することが可能となるからである。
【００１６】
図２は、図１のＡ−Ａ線で切断された保存袋１の断面図である。図２に示されるように、保存袋１の上端側の折り返し端と下端側の折り返し端とはシール部３の下端側で互いに重なり合っており、この重なり合ったフィルム２の間には上述のように開口部５が形成されており、開口部５を介して茎Ｓを袋内部に出し入れ可能とされている。この開口部５には、重なり合ったフィルム２同士を粘着する粘着剤６が設けられており、袋内部を密閉できるようになっている。
粘着剤６は、一度粘着しても再び人の手で剥がすことができる程度の粘着力を発揮できるような接着剤であり、人の手で剥がせない程度に強固に接着できる接着剤に対して疑似接着剤と呼ばれるものである。このような粘着剤６は、フィルム２の材質に合わせて好ましい成分や配合が変化するため一概にその種類を規定することはできないが、アクリル系粘着剤、ゴム系粘着剤、シリコン系粘着剤、ポリビニルエーテル系粘着剤、ポリ酢酸ビニル系粘着剤などを適宜用いることができる。
【００１７】
ところで、上述のように茎Ｓを入れて開口部５を閉じると袋内部は密閉状態となり、茎Ｓを密閉状態で収容することができ、持ち運びなどのときに水やゴミが落ちる心配はなくなる。しかし、袋内部を完全に密閉状態にしてしまうと、茎Ｓが呼吸するにつれて袋内部の空気や水が汚れていくため、茎Ｓを長期間に亘って保存することはできない。一定時間ごとに開口部５を開けて空気や水を取り替えることもできるが、作業が非常に面倒であり時間や手間がかかりすぎる。
そこで、本発明の保存袋１では、開口部５と反対側の端部（下端側）を開口部５側に比べて細く絞られた筒状に形成し、この細く絞られた筒状の部分を挿し込まれた茎Ｓごと切断できる構成としている。
【００１８】
具体的には、図１に示されるように下側の折り返し端の左右の隅をそれぞれ円弧状に切り取ると共に切り取られた縁同士を貼り合わせ（熱融着し）て細く絞られた有底の筒状に形成されている。このような細く絞られた筒状の部分は、束ねられた茎Ｓの下端が挿入可能な大きさに形成されており、茎Ｓの下端は容易に挿入されるが葉が付いた茎の上側は挿入するのが困難になっている。それゆえ、この細く絞られた筒状の部分を切断しても、茎Ｓが袋から落下する心配はなく、切断された部分から袋内部に収容された茎Ｓに水や栄養素などを供給することが可能となる。
【００１９】
上述のような構成を備えた保存袋１に対しては、次のようにして茎Ｓを収容して保存することができる。
図３に示されるように、粘着剤６を介して接着し合っているフィルム２同士を剥がして開口部５を開き、この開口部５からゴムやひもなどの結束具で括り付けられた複数本の茎Ｓ（茎Ｓの束）を袋内に入れる。そうすると、上述のように保存袋１は下側に向かうにつれて細く絞られた筒状に形成されているため、この細く絞られた筒状の部分に茎Ｓの束が入り込むようにして茎Ｓの束が保存袋１に収容される。
【００２０】
図４に示されるように、茎Ｓを保存する場合には、保存袋１の下側の細く絞られた筒状の部分を茎Ｓを挿し込んだ方向と垂直な方向に（水平方向に）向かって切断する。そうすると、保存袋１の内部に収容されたまま保存袋１の切断に合わせて茎Ｓも切断される。そして、保存袋１の切断された部分を水槽などに貯められた水の中に浸けることで、切断された部分から保存袋１の内部に収容された茎Ｓに水の供給が可能となる。
このように保存袋１の切断に合わせて茎Ｓを新たに切断しておけば、切断面７から茎Ｓに水や栄養分が十分に補給されやすくなり、茎Ｓを健常な状態で保存することができる。また、保存袋１は切断された部分が水に浸かっているため、袋内部は外気が浸入しない密閉状態に保持される。それゆえ、そばに置かれた他の植物から発生するエチレンガスが袋内部に浸入して茎Ｓの鮮度を悪化させることがない。また、保存袋１の外部が空調などにより乾燥していても、水に浸かっている袋の内部は一定の湿度に維持される。それゆえ、鮮度を落とさないように茎Ｓを保存することができる。
【００２１】
一方、茎Ｓの先の切断面７は長時間に亘って水につけていると腐りやすいため、茎Ｓを長期間に亘って保管する場合には定期的に茎Ｓの先を切断して新たな切断面７を出しておく必要がある。このように茎Ｓの先端を切断して新たな切断面７を形成する場合には、例えば図４に示されるように最初に切断した部分（図４のＣ１）より上側の部分（図４のＣ２）の筒状の部分を茎Ｓごとさらに切断する。そうすれば、筒状の部分の切断に合わせて新しい切断面７が得られ、茎Ｓの鮮度保持が可能となる。また、保存袋１に複数の茎Ｓを束ねたものを収容しておけば、袋内部から取り出すことなく複数の茎Ｓの切断作業が一度に行え、切断作業を効率的に行うこともでき、茎Ｓを保管する際にも手間が係らない。
【００２２】
本発明は上記各実施形態に限定されるものではなく、発明の本質を変更しない範囲で各部材の形状、構造、材質、組み合わせなどを適宜変更可能である。
上記実施形態では、サツマイモのほふく茎が収容された保存袋１を例に挙げたが、本発明の保存袋１に収容される茎Ｓはサツマイモのほふく茎に限定されるものではない。本発明の保存袋１には、例えば挿し木で栽培が可能なパキラやドラセナなどの観葉植物の茎を収容することもできるし、バラやカスミソウなどの切り花を収容することもできる。
上記実施形態では、下側の折り返し端の左右の隅をそれぞれ円弧状に切り取ると共に切り取られた縁同士を貼り合わせることで細く絞られた筒状に形成された保存袋を例に挙げた。しかしながら、開口部５と反対側の袋端部を開口部５側に比べて細く絞られた筒状に形成する方法は、切り取りに限られない。例えば、三角錐形状にカットされたフィルム２同士を貼り合わせたり、有底円筒状に形成されたフィルム２の下側にこれより口径の小さな有底円筒状のフィルム２を取り付けても良い。
【００２３】
上記実施形態では、互いに重ね合わされたフィルムの折り返し端の間を開口部５とした保存袋１を例示した。しかし、保存袋１の開口部５はフィルムの折り返し端の間に限定されるものではない。例えば、保存袋を上方に向かって開口した袋状に形成し、上端の開口した部分を開口部５としても良い。
上記実施形態では、保存袋１を構成するフィルム２にエチレンガスを吸収する吸着剤が分散配合されたものを例示したが、エチレンガスを吸収する材料はフィルム２に配合されるものに限られない。例えばエチレンガスを吸着する成分を含む鮮度保持剤を保存袋１内に貼り付けたり入れたりしておくこともできる。
【符号の説明】
【００２４】
１  保存袋
２  フィルム
３  シール部
４  穴部
５  開口部
６  粘着剤
７  切断面
Ｓ  茎
【図１】
2010215243.tif 000003
【図２】
2010215243.tif 000004
【図３】
2010215243.tif 000005
【図４】
2010215243.tif 000006
【手続補正書】
【提出日】平成21年3月17日(2009.3.17)
【手続補正１】
【補正対象書類名】明細書
【補正対象項目名】０００４
【補正方法】変更
【補正の内容】
【０００４】
【特許文献１】特開２００５−１３８８６７号公報